(57)【要約】【課題】遊技の興趣が一段と高められるようにした弾球遊技機を提供する。【解決手段】遊技盤５を備え、前側には発光源２８を内部に設けた電飾用の透光性レンズ部材３１が装着される弾球遊技機Ｐ１であって、前記透光性レンズ部材３１の前面に、前記遊技盤５面に表示された模様・図柄Ｍと関連のある透光性の模様・図柄Ｍを設けた構成からなる。【選択図】　図１
2004105303.tif 000002
【特許請求の範囲】
【請求項１】
遊技盤を備え、前側には発光源を内部に設けた電飾用の透光性レンズ部材が装着される弾球遊技機であって、前記透光性レンズ部材の前面に、前記遊技盤面に表示された模様・図柄と関連のある透光性の模様・図柄を設けたことを特徴とする弾球遊技機。
【請求項２】
遊技盤を備え、前側には発光源を内部に設けた電飾用の透光性レンズ部材が装着される弾球遊技機であって、真空成形により透光性被覆部材を成形し、前記透光性被覆部材の前面に前記遊技盤面に表示された模様・図柄と関連のある透光性の模様・図柄を設け、前記透光性レンズ部材の前面に前記透光性被覆部材を交換可能に装着するようにしたことを特徴とする弾球遊技機。
【発明の詳細な説明】
【０００１】
【発明の属する技術分野】
本発明は、前側に電飾用の透光性レンズ部材を取着してなる弾球遊技機に関するものである。
【０００２】
【従来の技術】
例えば、弾球遊技機の一つであるパチンコ遊技機は、長方形枠状の機枠に遊技盤を取付固定する前面枠が装着され、前記前面枠の前面に前記遊技盤の前面を覆う透明板保持枠が軸着されている。そして、前記透明板保持枠の前面には、遊技盤面に装着される可変表示装置の表示部の図柄が特定の図柄に揃って遊技者に有利な特別遊技状態となったとき、視覚を通して遊技の興趣を高めることができるようにするために、発光源を内部に設けた電飾用の透光性レンズ部材が取着されている（例えば、特許文献１参照。）。
【０００３】
【特許文献１】
特開平８−２９４５７２号公報（第５頁、図２）
【０００４】
【発明が解決しようとする課題】
しかしながら、前記透光性レンズ部材は、通常、一色の色が施されているにすぎず、しかも、遊技盤面に施された模様・図柄とはほとんど関連性のない配色、デザインになっている場合が多い。よって、前記遊技盤面に施された模様・図柄との調和性に欠け、しかも、遊技盤面の模様・図柄は遊技盤内に止まり外側へ広くアピールするということができず、このため、遊技の興趣を盛り上げるには十分ではなかった。
そこで、本発明は上記課題を解決すべくなされたもので、電飾用の透光性レンズ部材の前面に遊技盤の模様・図柄と関連のある透光性の図柄・模様を設け、遊技盤面のデザインと関連性を持たせて、遊技者に迫力ある視覚的効果を与えることにより、遊技の興趣を一段と高めるようにした弾球遊技機を提供することを目的とするものである。
【０００５】
【課題を解決するための手段】
かかる目的を達成するため、本発明の弾球遊技機は、遊技盤を備え、前側には発光源を内部に設けた電飾用の透光性レンズ部材が装着される弾球遊技機であって、前記透光性レンズ部材の前面に、前記遊技盤面に表示された模様・図柄と関連のある透光性の模様・図柄を設けた構成からなる。透光性レンズ部材の前面に設けられた模様・図柄は、内側から光を照射すると、拡散されるとともに光り輝き、遊技盤面に表示された模様・図柄であって光を発しない部分と呼応して一体となる。よって、遊技者に迫力ある視覚的効果を与えることができ、これにより遊技の興趣が一段と高まることとなる。
【０００６】
また、遊技盤を備え、前側には発光源を内部に設けた電飾用の透光性レンズ部材が装着される弾球遊技機であって、真空成形により透光性被覆部材を成形し、前記透光性被覆部材の前面に前記遊技盤面に表示された模様・図柄と関連のある透光性の模様・図柄を設け、前記透光性レンズ部材の前面に前記透光性被覆部材を交換可能に装着するようにした構成が採られる。前記透光性被覆部材を真空成形により成形するようにすれば、立体的な模様、図柄入り透光性被覆部材が簡単にできる。しかも、交換に際しては、前記透光性レンズ部材をそのままとして透光性被覆部材のみの交換で済むので、交換作業が簡単となり、また、廃棄する部分が少なくて廃棄処理が容易となり、製作コストも低廉になし得る。
【０００７】
具体的には、機枠に、遊技盤を取付固定する前面枠が装着され、前記前面枠に窓口が開設されると共に該窓口に前記遊技盤の前面を覆う透明板保持枠が軸着され、前記前面枠の前面に発光源を内部に設けた電飾用の透光性レンズ部材が装着される弾球遊技機にあっては、前記透光性レンズ部材の前面に、前記遊技盤面に表示された模様・図柄と関連のある透光性の模様・図柄を設けるようにする。
【０００８】
機枠に、遊技盤を取付固定する前面枠が装着され、前記前面枠の前面に、これとほぼ同じ横幅を有し前記遊技盤の前面を覆う透明板保持枠が軸着され、前記透明板保持枠の前面に発光源を内部に設けた電飾用の透光性レンズ部材が装着される弾球遊技機にあっては、前記透光性レンズ部材の前面に、前記遊技盤面に表示された模様・図柄と関連のある透光性の模様・図柄を設けるようにする。
【０００９】
また、機枠に、遊技盤を取付固定する前面枠が装着され、前記前面枠に窓口が開設されると共に該窓口に前記遊技盤の前面を覆う透明板保持枠が軸着され、前記前面枠の前面に発光源を内部に設けた電飾用の透光性レンズ部材が装着される弾球遊技機にあっては、真空成形により透光性被覆部材を成形し、前記透光性被覆部材の前面に前記遊技盤面に表示された模様・図柄と関連のある透光性の模様・図柄を設け、前記透光性被覆部材を前記透光性レンズ部材の前面に交換可能に装着するようにする。
【００１０】
機枠に、遊技盤を取付固定する前面枠が装着され、前記前面枠の前面に、これとほぼ同じ横幅を有し前記遊技盤の前面を覆う透明板保持枠が軸着され、前記透明板保持枠の前面に発光源を内部に設けた電飾用の透光性レンズ部材が装着される弾球遊技機にあっては、真空成形により透光性被覆部材を成形し、前記透光性被覆部材の前面に前記遊技盤面に表示された模様・図柄と関連のある透光性の模様・図柄を設け、前記透光性被覆部材を前記透光性レンズ部材の前面に交換可能に装着するようにする。
【００１１】
【発明の実施の形態】
以下、本発明に係る弾球遊技機の実施の形態を図面に基づき説明する。なお、弾球遊技機には、例えばパチンコ遊技機、アレンジボールまたは雀球遊技機があるが、本発明にあっては、その一例としてパチンコ遊技機について説明する。図１乃至図４は、前面枠の前面に本発明が適用される第一パチンコ遊技機に関するもので、図５乃至図８は透明板保持枠の前面に本発明が適用される第二パチンコ遊技機に関するものである。
【００１２】
まず、前面枠の前面に本発明が適用される第一パチンコ遊技機について説明する。図１は本発明が適用される第一パチンコ遊技機の正面図、図２は同透明板保持枠を開いた状態の斜視図、図３は同一部分解斜視図、図４は同要部の横断面図である。図において、１は第一パチンコ遊技機Ｐ１における木製の機枠であって、縦長方形枠状に形成されている。また、その前面に額縁状をなす合成樹脂製の前面枠２が、その一側上下部を前記機枠１の一側上下部に設けた軸支部３によって軸支され回動自在に装着されている。この前面枠２の中央には、方形状の窓口４が開設されている。そして、前面枠２の裏面に遊技盤５が配置固定され、その前面の遊技部５ａが前記窓口４に臨むようになっている。
【００１３】
前記前面枠２の窓口４に、遊技盤５前面の遊技部５ａを覆う２枚の透明板であるガラス板６を備えた透明板保持枠７及び遊技盤５の下部を覆う前面板８が、いずれもその一側を軸支されて回動自在に装着されている。前記前面板８の前面に、貯留される弾球であるパチンコ球を打球発射部（図示せず。）に供給するための打球供給皿９が装着されている。また、前記前面枠２の下部前面には、前記打球供給皿９から溢れるパチンコ球を貯留する余剰球受皿１０が装着されている。１１は、前面枠２の下部前面の一側に設けられ、打ち出されるパチンコ球の打球力の強弱を調節する操作ハンドルである。
【００１４】
前記遊技盤５の前面には、機種に合わせた模様・図柄Ｍが描出された印刷紙１２が透明な樹脂フィルムと共に貼着され、更に、その前面に遊技部５ａを囲う内側ガイドレール１３と外側ガイドレール１４とが渦巻き状に敷設されている。この場合、前記模様・図柄Ｍは、前記内・外側ガイドレール１３，１４内のみに描出されている。
【００１５】
前記遊技部５ａには、そのほぼ中央に表示部１５ａを備えた可変表示装置１５が装着され、その下方にパチンコ球の入賞により前記表示部１５ａの文字、数字、図形等の表示を変動表示させる始動入賞口１６が配設される。更に、その下方に、前記変動した表示が一定の時間経過後に停止して特定の表示（例えば「７７７」）を示し、遊技者にとって有利な特別遊技状態になったとき、一定の条件の下で開閉扉１７ａを所定回数開成させ一度に多くの入賞球が得られる入賞装置１７が配設されている。前記始動入賞口１６は、パチンコ球が入賞し難い起立またはパチンコ球が入賞し易い傾動位置に自在に変換可能な一対の可動翼片１８，１８を有している。
【００１６】
更に、前記可変表示装置１５の両側やや下方位置に一般入賞口１９が配設され、これら一般入賞口１９の上方位置にはパチンコ球が通過することによりそれを検知し、前記始動入賞口１６の一対の可動翼片１８，１８をパチンコ球が受入れ易いように傾動させるための通過チャッカー２０が配設されている。２１は、前記遊技部５ａの適宜位置に回転自在に装着され、流下するパチンコ球の流れを変えて面白みを出させるための風車であり、２２は障害釘である。更にまた、遊技部５ａの下部に、遊技部５ａを流下して前記始動入賞口１６、一般入賞口１９などに入賞しなかったパチンコ球をアウト球として遊技盤５の後方へ回収するアウト球口２３が開設されている。
【００１７】
遊技盤５の前面であって内・外側ガイドレール１３，１４の外側に、これら内・外側ガイドレール１３，１４を囲うようにして電飾用の透光性レンズ部材２４が装着される。この透光性レンズ部材２４は、所定の色に着色された透光性の合成樹脂材から成形され、内部は空洞状をなしかつ後面が開放されている。そして、前記透光性レンズ部材２４の前面には、前記遊技盤５面に描出された模様・図柄Ｍと同じ透光性の模様・図柄Ｍが立体的に設けられている。この模様・図柄Ｍは、前記透光性レンズ部材２４の前面に直接描出して設けられる。
【００１８】
また、前側壁２４ａ内側の所定の位置に後方へ突出する筒部２５が設けられ、これら筒部２５の後端面に螺子２６を螺子締めして配線基板２７が取り付けられる。この配線基板２７の前面には発光源としてのＬＥＤ２８が装着され、このＬＥＤ２８が発光することにより前記模様・図柄Ｍが後側から照らし出されるようになっている。更に、透光性レンズ部材２４には、後方へ突出する複数の取付ピン２９が設けられ、これら取付ピン２９を遊技盤５面の前面に開設された保持孔３０に嵌入させて前記透光性レンズ部材２４が取付けられる。
【００１９】
前記前面枠２の前面に、窓口４の下側を残しその周囲を囲うようにして電飾用の透光性レンズ部材３１が装着されている。この透光性レンズ部材３１も、所定の色に着色された透光性の合成樹脂材から正面門状に成形され、内部は空洞状をなしかつ後面が開放されている。そして、その透光性レンズ部材３１の前面には、前記遊技盤５面に描出された模様・図柄Ｍと同じ透光性の模様・図柄Ｍが立体的に設けられている。この模様・図柄Ｍは、前記透光性レンズ部材３１の前面に直接描出して設けられる。また、前側壁３１ａの内側には所定の位置に後方へ突出する筒部２５が設けられ、これら筒部２５の後端面に螺子２６を螺子締めして配線基板２７が取り付けられる。この配線基板２７の前面には発光源としてのＬＥＤ２８が装着されている。
【００２０】
前記透光性レンズ部材３１は、その後面を前面枠２の前面に当接して配設され、前側壁３１ａの適宜位置に開設された螺子挿通孔３２を介し螺子３３を前面枠２の前面に螺子止めすることにより装着される。前記ＬＥＤ２８は、第一パチンコ遊技機Ｐ１裏面の中央制御装置（図示せず。）に接続され、ＬＥＤ２８の発光時期、回数が制御されるようになっており、それらが発光することにより前記透光性レンズ部材３１の模様・図柄Ｍが後側から照らし出されるようになっている。
【００２１】
このような第一パチンコ遊技機Ｐ１にあっては、前面枠２の透光性レンズ部材３１の前面に、遊技盤５面に表示された模様・図柄Ｍと関連のある透光性の模様・図柄Ｍを設けることにより、同模様・図柄Ｍが遊技盤５面から外側に広がり、しかも、ＬＥＤ２８の発光と共に透光性レンズ部材３１の模様・図柄Ｍが内側から照らし出されて光り輝き、光を発しない遊技盤５面の模様・図柄Ｍと呼応して一体となり、極めて面白味のある視覚的効果が得られる。この場合、遊技盤５面にも透光性レンズ部材２４を装着して発光させるようにしているので、視覚的効果が更に向上する。
【００２２】
次に、透明板保持枠の前面に本発明が適用される第二パチンコ遊技機について説明する。なお、前面枠の前面に本発明が適用される第一パチンコ遊技機と同一部位は同一番号を付すことにより詳しい説明は省略する。
【００２３】
図５は、本発明が適用される第二パチンコ遊技機の正面図、図２は同透明板保持枠を開いた状態の斜視図、図３は同分解斜視図、図４は同要部の横断面図である。この第二パチンコ遊技機Ｐ２は、前面枠２の前面に、この前面枠２とほぼ同じ横幅を有し遊技盤５の前面を覆う透明板保持枠７ａが回動自在に装着されている。この透明板保持枠７ａは、合成樹脂製であって、嵌入されるガラス板６により遊技盤５の前面を覆うようにしている。
【００２４】
そして、前記透明板保持枠７ａの前面に透光性レンズ部材３４が装着される。この透光性レンズ部材３４も、透光性の合成樹脂材から正面門状に成形され、内部は空洞状をなしかつ後面が開放されている。そして、前側壁３４ａの前面には、前記遊技盤５面に描出された模様・図柄Ｍと同じ透光性の模様・図柄Ｍが立体的に設けられている。この模様・図柄Ｍは、前記透光性レンズ部材３４の前面に直接描出して設けられる。また、前側壁３４ａの内側の所定位置に後方へ突出する筒部３５が設けられている。
【００２５】
一方、前記透明板保持枠７ａの前面に、前記透光性レンズ部材３４と対向位置して配線基板３６が取り付けられ、この配線基板３６の前面に発光源としてのＬＥＤ３７が装着されている。また、透明板保持枠７ａには、前記透光性レンズ部材３４に設けられた各筒部３５と対応して螺子挿通孔３８が設けられている。
【００２６】
そして、前記配線基板３６を覆うようにして透明板保持枠７ａの前面に前記透光性レンズ部材３４を配設し、各筒部３５と各螺子挿通孔３８を合致させた状態で、透明板保持枠７ａの後側から各螺子挿通孔３８を介して各筒部３５に螺子３９を螺締することにより透光性レンズ部材３４が装着される。
【００２７】
このような第二パチンコ遊技機Ｐ２であっても、透光性レンズ部材３４の前面に、遊技盤５面に表示された模様・図柄Ｍと関連のある透光性の模様・図柄Ｍを設けることにより、同模様・図柄Ｍが遊技盤５面から外側に広がり、しかも、ＬＥＤ３７の発光と共に透光性レンズ部材３４の模様・図柄Ｍが内側から照らし出されて光り輝き、光を発しない遊技盤５面の模様・図柄Ｍと呼応して一体となり、極めて面白味のある視覚的効果が得られる。この場合も、遊技盤５面に透光性レンズ部材２４を装着し、発光させるようにしているので、視覚的効果が更に向上する。
【００２８】
図９、図１０は、前記第一・第二パチンコ遊技機Ｐ１，Ｐ２にあって、他の実施の形態に係る透光性レンズ部材を示すものである。この透光性レンズ部材４０は、前面に模様・図柄Ｍが何ら描出されておらず、その前面に真空成形により成形される透光性被覆部材４１が装着される。これら透光性レンズ部材４０も透光性被覆部材４１も所定の色に着色された合成樹脂材からなる。そして、透光性被覆部材４１は、その前面に遊技盤５面に表示された模様・図柄Ｍと関連のある透光性の模様・図柄Ｍが例えば印刷により描出されており、両側縁の所定位置に後方へ突出しかつ先端に係止爪４２ａを設けた係止片４２が突設されている。一方、前記透光性レンズ部材４０には、前記各係止片４２に対応位置して側面に複数の係止孔４３が設けられている。
【００２９】
そして、各係止孔４３に各係止片４２先端の各係止爪４２ａを係止することにより、透光性レンズ部材４０の前面に透光性被覆部材４１が装着される。また、前記各係止孔４３から各係止爪４２ａを取り外して透光性被覆部材４１を透光性レンズ部材４０から取り外すことができ、これによって、透光性被覆部材４１が他のものと交換できるようになっている。よって、例えば、遊技盤５を新しいデザインのものと交換するような場合も、これと同じ透光性の模様・図柄Ｍを描出した透光性被覆部材４１を用意すれば、遊技盤５面と透光性被覆部材４１との模様・図柄Ｍを同じものとすることができ便利である。しかも、前記透光性レンズ部材４０をそのままとし、透光性被覆部材４１のみの交換で済むので、交換作業が簡単であり、廃棄する部分が少なくて廃棄処理が容易であり、製作コストも低廉になし得る。また、前記透光性被覆部材４１は真空成形により成形されるので、立体的な模様、図柄入り透光性被覆部材４１が簡単にできる。
【００３０】
【発明の効果】
本発明に係る弾球遊技機は上記構成よりなり、請求項１に記載された弾球遊技機によれば、透光性レンズ部材の前面に、遊技盤面に表示された模様・図柄と関連のある透光性の模様・図柄を設けたので、透光性レンズ部材の前面に設けられた模様・図柄は、内側から照らし出すと、拡散されるとともに光り輝き、遊技盤面に表示された模様・図柄であって光を発しない部分と呼応し一体となって、遊技者に迫力ある視覚的効果を与えることができ、遊技の興趣を一段と高めることができるという効果がある。
【００３１】
また、請求項２に記載された弾球遊技機によれば、透光性レンズ部材の前面に、真空成形により成形され、遊技盤面に表示された模様・図柄と関連のある透光性の模様・図柄を設けた透光性被覆部材を交換可能に装着するようにしたので、立体的な模様、図柄入り透光性被覆部材が簡単にでき、しかも、交換に際しては、前記透光性レンズ部材をそのままとし、透光性被覆部材のみの交換で済むので、交換作業が簡単となるばかりか廃棄処理も容易となり、製作コストも低廉になし得るという効果がある。
【図面の簡単な説明】
【図１】本発明が適用される第一パチンコ遊技機の正面図。
【図２】同透明板保持枠を開いた状態の斜視図。
【図３】同一部分解斜視図。
【図４】同要部の横断面図。
【図５】本発明が適用される第二パチンコ遊技機の正面図。
【図６】同透明板保持枠を開いた状態の斜視図。
【図７】同一部分解斜視図。
【図８】同要部の横断面図。
【図９】他の実施の形態に係る透光性レンズ部材の分解斜視図。
【図１０】同組立てた状態を示す断面図。
５　　　　　　　　　遊技盤
２８　　　　　　　　発光源（ＬＥＤ）
３１　　　　　　　　透光性レンズ部材
３４　　　　　　　　透光性レンズ部材
３７　　　　　　　　発光源（ＬＥＤ）
４０　　　　　　　　透光性レンズ部材
４１　　　　　　　　透光性被覆部材
Ｍ　　　　　　　　　模様・図柄
Ｐ１　　　　　　　　第一パチンコ遊技機
Ｐ２　　　　　　　　第二パチンコ遊技機
【図１】
2004105303.tif 000003
【図２】
2004105303.tif 000004
【図３】
2004105303.tif 000005
【図４】
2004105303.tif 000006
【図５】
2004105303.tif 000007
【図６】
2004105303.tif 000008
【図７】
2004105303.tif 000009
【図８】
2004105303.tif 000010
【図９】
2004105303.tif 000011
【図１０】
2004105303.tif 000012